(57)【要約】【課題】  生体情報を用いて認証対象者の認証を行う際に、生体情報を迅速かつ簡易に更新できるようにする。【解決手段】  カードリーダ１０が認証対象者のＩＤカード３０のＩＣチップ３２から、ＩＤ情報および登録された顔の特徴量である登録特徴量を読み取る。撮影部１２が認証対象者を撮影し、特徴量生成部２０が撮影により得られた顔画像データから撮影特徴量を生成する。認証処理部１４が撮影特徴量および登録特徴量を照合して認証処理を行う。認証に成功すると、同一の認証対象者について撮影特徴量が保管部１６に保管されているか否かを判定し、保管されている場合に、保管されていた撮影特徴量によりＩＣチップ３２に記憶されている登録特徴量を更新する。【選択図】          図１
2006085265.tif 000002
【特許請求の範囲】
【請求項１】
認証対象者のＩＤ情報および生体情報が記憶された記憶部を有する認証カードから、前記ＩＤ情報および前記生体情報を読み取る情報読み取り手段と、
前記認証対象者を撮影して撮影生体情報を取得する撮影手段と、
前記読み取った生体情報と前記撮影生体情報とを照合する認証処理を行う認証処理手段と、
前記認識対象者の認証がなされた場合、該撮影生体情報を前記読み取ったＩＤ情報と対応づけて保管する撮影生体情報保管手段と、
前記撮影生体情報が保管されている認証対象者について再度の認証処理がなされた場合、前記撮影生体情報保管手段に保管された撮影生体情報により前記記憶部に記憶された前記生体情報を更新し、該再度の認証処理時に取得した撮影生体情報により前記撮影生体情報保管手段に保管された撮影生体情報を更新する更新手段とを備えたことを特徴とする認証装置。
【請求項２】
認証対象者のＩＤ情報および生体情報が記憶された記憶部を有する認証カードから、前記ＩＤ情報および前記生体情報を読み取る情報読み取り手段と、
前記認証対象者を撮影して撮影生体情報を取得する撮影手段と、
前記読み取った生体情報と前記撮影生体情報とを照合する認証処理を行う認証処理手段とを備えた認証装置における認証方法において、
前記認識対象者の認証がなされた場合、該撮影生体情報を前記読み取ったＩＤ情報と対応づけて保管し、
前記撮影生体情報が保管されている認証対象者について再度の認証処理がなされた場合、前記撮影生体情報保管手段に保管された撮影生体情報により前記記憶部に記憶された前記生体情報を更新し、
該再度の認証処理時に取得した撮影生体情報により前記撮影生体情報保管手段に保管された撮影生体情報を更新することを特徴とする認証方法。
【請求項３】
認証対象者のＩＤ情報および生体情報が記憶された記憶部を有する認証カードから、前記ＩＤ情報および前記生体情報を読み取る情報読み取り手段と、
前記認証対象者を撮影して撮影生体情報を取得する撮影手段と、
前記読み取った生体情報と前記撮影生体情報とを照合する認証処理を行う認証処理手段とを備えた認証装置における認証方法をコンピュータに実行させるためのプログラムにおいて、
前記認識対象者の認証がなされた場合、該撮影生体情報を前記読み取ったＩＤ情報と対応づけて保管する手順と、
前記撮影生体情報が保管されている認証対象者について再度の認証処理がなされた場合、前記撮影生体情報保管手段に保管された撮影生体情報により前記記憶部に記憶された前記生体情報を更新する手順と、
該再度の認証処理時に取得した撮影生体情報により前記撮影生体情報保管手段に保管された撮影生体情報を更新する手順とを有することを特徴とするプログラム。
【発明の詳細な説明】
【技術分野】
【０００１】
本発明は、顔、指紋等の生体情報を用いて認証対象者の認証を行う認証装置および方法並びに認証方法をコンピュータに実行させるためのプログラムに関するものである。
【背景技術】
【０００２】
個人を認証するための様々な手法が従来より提案されている。例えば、目の虹彩、声紋、指紋、顔、顔の輪郭等の特徴量等の生体情報を用いて個人認証を行う各種システムが提案されている。また、ＩＣチップを備えたＩＤカードに生体情報および個人を識別するためのＩＤ情報を記録し、ＩＤカードから生体情報およびＩＤ情報を読み取り、認証対象者の生体情報を撮影し、撮影により取得した撮影生体情報とＩＤカードから読み取った生体情報とを照合することにより認証を行うシステムも提案されている。
【０００３】
ところで、とくに顔のような生体情報は、年齢を重ねることにより、さらには整形手術等により変化する。また、髪型や化粧の状態によって生体情報が変化する。このため、生体情報を用いた認証システムにおいては、時間の経過により認証精度が低下していく傾向があるという問題がある。
【０００４】
このため、認証時に撮像した認証対象者の顔画像に基づいて顔の生体情報を作成し、作成した顔の生体情報と、ＩＤカードに記憶された生体情報とを照合して認証を行うに際し、認証が成功した場合、ＩＤカードに記憶された生体情報が更新時期であるか否かを判定し、更新時期であると判定した場合、ＩＤカード内の生体情報を取得した生体情報に書き換えることによってＩＤカードに記録された生体情報を更新するようにしたシステムが提案されている（特許文献１参照）。
【０００５】
また、ＩＤカードに記憶された登録署名データ（データ２とする）と、認証時の署名データ（データ１とする）とを照合し、照合にパスすれば認証成功とし、認証が成功した場合、データ１とデータ２とを加重平均して新しい登録データを得るとともに、ＩＤカード内のデータ２をこの新しい登録データに書き換えるようにしたシステムも提案されている（特許文献２参照）。
【０００６】
このようなシステムによれば、常に最新の情報に基づいて認証対象者の認証を行うことができるため、生体情報が経時等により変化しても認証精度の低下を防止することができる。
【特許文献１】特開２００３−３３７９２６号公報
【特許文献２】特開平１１−１１０５４４号公報
【発明の開示】
【発明が解決しようとする課題】
【０００７】
しかしながら、上記特許文献１に記載されたシステムにおいては、ＩＤカードに記憶された生体情報が更新時期にあるか否かの判定を行う必要がある。また、特許文献２に記載されたシステムにおいては、新たに得たデータを加重平均して新しい登録データを得る必要がある。このため、上記特許文献１，２に記載されたシステムにおいては、生体情報を更新するための処理に時間を要するという問題がある。また、特許文献１，２に記載されたシステムは認証が完了するまでＩＤカードを認証装置に装填しておく必要があるため、認証対象者にとって認証のための操作が非常に煩わしいものとなっている。
【０００８】
本発明は上記事情に鑑みなされたものであり、生体情報を用いて認証対象者の認証を行う際に、生体情報を迅速かつ簡易に更新できるようにすることを目的とする。
【課題を解決するための手段】
【０００９】
本発明による認証装置は、認証対象者のＩＤ情報および生体情報が記憶された記憶部を有する認証カードから、前記ＩＤ情報および前記生体情報を読み取る情報読み取り手段と、
前記認証対象者を撮影して撮影生体情報を取得する撮影手段と、
前記読み取った生体情報と前記撮影生体情報とを照合する認証処理を行う認証処理手段と、
前記認識対象者の認証がなされた場合、該撮影生体情報を前記読み取ったＩＤ情報と対応づけて保管する撮影生体情報保管手段と、
前記撮影生体情報が保管されている認証対象者について再度の認証処理がなされた場合、前記撮影生体情報保管手段に保管された撮影生体情報により前記記憶部に記憶された前記生体情報を更新し、該再度の認証処理時に取得した撮影生体情報により前記撮影生体情報保管手段に保管された撮影生体情報を更新する更新手段とを備えたことを特徴とするものである。
【００１０】
「生体情報」とは、目の虹彩、声紋、指紋、顔、および顔の輪郭等の特徴量等、認証対象者から取得された、認証対象者に固有の情報を意味する。なお、上記特許文献２に記載されたような署名データも認証対象者に固有のものであることから、生体情報に含めるものとする。
【００１１】
本発明による認証方法は、認証対象者のＩＤ情報および生体情報が記憶された記憶部を有する認証カードから、前記ＩＤ情報および前記生体情報を読み取る情報読み取り手段と、
前記認証対象者を撮影して撮影生体情報を取得する撮影手段と、
前記読み取った生体情報と前記撮影生体情報とを照合する認証処理を行う認証処理手段とを備えた認証装置における認証方法において、
前記認識対象者の認証がなされた場合、該撮影生体情報を前記読み取ったＩＤ情報と対応づけて保管し、
前記撮影生体情報が保管されている認証対象者について再度の認証処理がなされた場合、前記撮影生体情報保管手段に保管された撮影生体情報により前記記憶部に記憶された前記生体情報を更新し、
該再度の認証処理時に取得した撮影生体情報により前記撮影生体情報保管手段に保管された撮影生体情報を更新することを特徴とするものである。
【００１２】
なお、本発明による認証方法をコンピュータに実行させるためのプログラムとして提供してもよい。
【発明の効果】
【００１３】
本発明によれば、撮影により取得された撮影生体情報が保管され、撮影生体情報が保管されている認証対象者について再度の認証処理がなされた場合、保管された撮影生体情報により記憶部に記憶された生体情報が更新され、再度の認証処理時に取得された撮影生体情報により保管された撮影生体情報が更新される。このため、上記特許文献１，２に記載されたシステムのように、更新時期にあるか否かの判断を行ったり、加重平均を求める処理を行う必要がなくなり、その結果、生体情報を更新する処理を迅速に行うことができる。また、認証対象者は、生体情報が撮影された後に認証装置から認証カードを直ちに抜き取ることができるため、認証のための操作を行う際の煩わしさを低減することができる。
【発明を実施するための最良の形態】
【００１４】
以下、図面を参照して本発明の実施形態について説明する。図１は本実施形態による認証装置の構成を示す概略ブロック図である。図１に示すように、本実施形態による認証装置１は、カードリーダ１０、撮影部１２、認証処理部１４、保管部１６、更新部１８および特徴量生成部２０を備える。
【００１５】
カードリーダ１０は、認証対象者を識別するためのＩＤ情報および認証対象者の顔の特徴量を記憶するＩＣチップ３２を備えたＩＤカード３０のＩＣチップ３２に対して、ＩＤ情報および特徴量の読み取りおよび後述する特徴量の書き込みを行う。なお、カードリーダ１０は、ＩＣチップ３２に対して非接触にて情報の読み取りおよび書き込みを行うものであってもよく、接触させて情報の読み取りおよび書き込みを行うものであってもよい。
【００１６】
撮影部１２は、認証対象者の顔を撮影して顔画像データを取得する。
【００１７】
認証処理部１４は、カードリーダ１０がＩＣチップ３２から読み取った特徴量（以下すでに登録されているものであることから登録特徴量とする）と、後述するように撮影により取得した顔画像データから生成した特徴量（以下撮影特徴量とする）とを照合することにより、認証対象者の認証処理を行う。そして、認証結果を表す情報（すなわち認証に成功したか失敗したかを表す情報）を出力する。認証結果を表す情報は、本実施形態による認証装置を用いた各種セキュリティシステムにおいて用いられる。
【００１８】
保管部１６は、認証に成功した場合における撮影特徴量を認証対象者のＩＤ情報と対応づけて保管する。
【００１９】
更新部１８は、撮影特徴量が保管部１６に保管されている認証対象者について、再度の認証処理がなされ、かつ認証が成功した場合、保管部１６に保管された撮影特徴量によりＩＣチップ３２に記憶された登録特徴量を撮影特徴量により更新するとともに、再度の認証処理時に取得された新たな撮影特徴量により保管部１６に保管されている撮影特徴量を更新する。なお、撮影特徴量が保管部１６に保管されているか否かの判定は、カードリーダ１０が読み出したＩＤ情報と対応づけられた撮影特徴量が保管部１６に保管されているか否かを判定することにより行う。
【００２０】
特徴量生成部２０は、撮影部１２が認証対象者の顔を撮影することにより取得した顔画像データから顔の特徴量を生成する。なお、特徴量としては、目、鼻、耳、口の位置関係を用いるものとするが顔の輪郭等を用いてもよい。なお、特徴量を目、鼻、耳、口の位置関係とした場合、認証処理部１４は、登録特徴量に基づく目、鼻、耳、口の位置関係が、撮影特徴量に基づく目、鼻、耳、口の位置関係とどの程度一致するかを判定し、一致する程度が所定の閾値を超えた場合に、認証対象者についての認証を成功したものとする。
【００２１】
次いで、本実施形態において行われる処理について説明する。図２は本実施形態において行われる処理を示すフローチャートである。まず、カードリーダ１０が認証対象者のＩＤカード３０のＩＣチップ３２からＩＤ情報および登録特徴量を読み取り（ステップＳＴ１）、撮影部１２が認証対象者の顔を撮影して顔画像データを取得する（ステップＳＴ２）。そして、特徴量生成部２０が顔画像データから撮影特徴量を生成する（ステップＳＴ３）。
【００２２】
次いで、認証処理部１４が登録特徴量と撮影特徴量とを照合することにより認証処理を行う（ステップＳＴ４）。そして認証に成功したか否かを判定し（ステップＳＴ５）、ステップＳＴ５が否定されると、認証失敗の認証結果を表す情報を出力し（ステップＳＴ６）、処理を終了する。
【００２３】
ステップＳＴ５が肯定されると、認証成功の認証結果を表す情報を出力し（ステップＳＴ７）、さらに更新部１８が保管部１６に同一の認証対象者の撮影特徴量が保管されているか否かを判定する（ステップＳＴ８）。ステップＳＴ８が否定されると、特徴量生成部２０が生成した撮影特徴量を保管部１６に保管し（ステップＳＴ９）、処理を終了する。
【００２４】
ステップＳＴ８が肯定されると、更新部１８がカードリーダ１０を介して撮影特徴量によりＩＣチップ３２に記憶された登録特徴量を更新するとともに（ステップＳＴ１０）、保管部１６に保管された撮影特徴量を新たな撮影特徴量により更新し（ステップＳＴ１１）、処理を終了する。
【００２５】
このように、本実施形態によれば、撮影特徴量が保管されている認証対象者について再度の認証処理がなされ、認証に成功した場合に、保管された撮影特徴量によりＩＣチップ３２に記憶された登録特徴量を更新し、再度の認証処理時に取得された撮影特徴量により保管された撮影特徴量を更新するようにしたため、上記特許文献１，２に記載されたシステムのように、更新時期にあるか否かの判断を行ったり、加重平均を求める処理を行う必要がなくなり、その結果、ＩＣチップ３２に記憶された登録特徴量を更新する処理を迅速に行うことができる。また、認証対象者は、撮影後直ちに認証装置からＩＤカード３０を直ちに抜き取ることができるため、認証のための操作を行う際の煩わしさを低減することができる。
【００２６】
なお、上記実施形態においては、認証が成功した場合に登録特徴量の更新を行っているが、更新処理の開始時に、まずカードリーダ１０が読み出したＩＤ情報と対応づけられた撮影特徴量が保管部１６に保管されているか否かを判定を判定し、この判定が肯定された場合に、認証処理の前に登録特徴量のみを先に更新するようにしてもよい。
【００２７】
また、上記実施形態において、正当な認証対象者の認証に失敗した場合、その認証対象者について認証に失敗した回数や割合を記録しておき、認証に失敗した回数や割合が所定の条件を満たした認証対象者を認証の管理を行う管理者に通知し、その認証対象者については新たな登録特徴量を生成してＩＤカード３０のＩＣチップ３２に生成した新たな登録特徴量を記憶するようにしてもよい。これにより、その認証対象者についての認証の精度を向上させることができる。
【００２８】
また、認証の成否についての履歴を記憶しておくようにしてもよい。これにより、正当な認証対象者の認証に失敗した傾向および原因等を分析することが可能となる。例えば、特定の人物についてのみ認証に失敗したのか、複数の人物について認証に失敗したのか、撮影部の認証の失敗の度合い、あるいは認証に失敗する時間帯、年齢および性別等を分析することができる。
【００２９】
また、上記実施形態においては、認証対象者の顔の特徴量を用いて認証処理を行っているが、顔画像データそのものを用いて認証処理を行ってもよい。また、目の虹彩、声紋、指紋、署名データ等、認証対象者に固有のものであれば、いかなる生体情報をも用いて認証処理を行うようにしてもよい。
【図面の簡単な説明】
【００３０】
【図１】本実施形態の実施形態による認証装置の構成を示す概略ブロック図
【図２】本実施形態において行われる処理を示すフローチャート
【符号の説明】
【００３１】
１    認証装置
１０    カードリーダ
１２    撮影
１４    認証処理部
１６    保管部
１８    更新部
２０    特徴量生成部
３０    ＩＤカード
３２    ＩＣチップ
【図１】
2006085265.tif 000003
【図２】
2006085265.tif 000004